(57)【要約】【課題】洗濯ネームのサイズや用いる素材や取付箇所等による制約を受けずに、多くの情報を配信する。【解決手段】洗濯ネーム４の二次元コードが読み取られ、二次元コードが表すＵＲＬアドレスに基づき、携帯電話機２と情報配信サーバ３との間で情報が送受信されると、携帯電話機２の表示画面にはホームページが表示される。ホームページの表示項目の中から、項目「お洗濯の方法について」が決定されると、携帯電話機２の表示画面には洗濯情報要求用Ｗｅｂページが表示される。このＷｅｂページのＪＡＮコード入力部にＪＡＮコードが入力され、問い合わせボタン部がクリックされると、携帯電話機２の表示画面には、洗濯情報提供用Ｗｅｂページが表示される。このＷｅｂページには、ＪＡＮコードで表される衣類の洗濯に関する文字情報を含む情報が表示される。【選択図】  図１
2008287348.tif 000002
【特許請求の範囲】
【請求項１】
衣類に取り付けられ、衣類の製品情報を含む衣類関連情報をコードで表示する洗濯ネームと、
前記洗濯ネームに表された前記コードを読み取る読取手段と、
前記読取手段が読み取った前記コードに基づく衣類関連情報を送信する関連情報送信手段と、
前記洗濯ネームが取り付けられた衣類の洗濯に関する洗濯情報を記憶する洗濯情報記憶手段と、
前記関連情報送信手段により送信された衣類関連情報を受信して、前記洗濯情報記憶手段が記憶する前記洗濯情報の中から、受信した衣類関連情報に関する前記洗濯情報を送信する洗濯情報送信手段と、
前記洗濯情報送信手段により送信された前記洗濯情報を受信して表示する洗濯情報表示手段とを備えて構成されることを特徴とする洗濯情報配信システム。
【請求項２】
衣類に関する衣類関連情報を表すコードと衣類の製品情報とを表示して衣類に取り付けられる洗濯ネームと、
前記洗濯ネームに表された前記コードを読み取る読取手段と、
前記読取手段が読み取った前記コードが表す衣類関連情報を送信する関連情報送信手段と、
前記洗濯ネームが取り付けられた衣類の洗濯に関する洗濯情報を記憶する洗濯情報記憶手段と、
前記関連情報送信手段により送信された衣類関連情報を受信して、前記洗濯ネームが取り付けられた衣類の前記洗濯情報の表示要求項目を含む複数の情報表示要求項目の中から何れかの表示要求項目の選択を要求する選択要求情報を送信する選択要求情報送信手段と、
前記選択要求情報送信手段により送信された選択要求情報を受信して、受信した選択要求情報を表示する選択要求情報表示手段と、
前記選択要求情報表示手段により表示された選択要求情報に応じて、複数の情報表示要求項目の中から何れかの情報表示要求項目を選択する項目選択手段と、
前記項目選択手段により選択された情報表示要求項目を表す選択項目情報を送信する選択項目情報送信手段と、
前記選択項目情報送信手段により送信された選択項目情報を受信して、受信した選択項目情報に洗濯情報の表示要求項目が含まれるときには、前記洗濯ネームに表示された製品情報の入力を要求する入力要求情報を送信する入力要求情報送信手段と、
前記入力要求情報送信手段により送信された入力要求情報を受信して、受信した入力要求情報を表示する入力要求情報表示手段と、
前記入力要求情報表示手段により表示された入力要求情報に応じて、前記洗濯ネームに表示された製品情報を入力する製品情報入力手段と、
前記製品情報入力手段により入力された製品情報を送信する製品情報送信手段と、
前記製品情報送信手段により送信された製品情報を受信して、前記洗濯情報記憶手段が記憶する前記洗濯情報の中から、受信した製品情報が表す衣類の洗濯に関する前記洗濯情報を送信する洗濯情報送信手段と、
前記洗濯情報送信手段により送信された前記洗濯情報を受信して表示する洗濯情報表示手段とを備えて構成されることを特徴とする洗濯情報配信システム。
【請求項３】
衣類に取り付けられ、衣類の製品情報を含む衣類関連情報をコードで表示する、請求項１又は請求項２に記載の洗濯情報配信システムに用いられる洗濯ネーム。
【発明の詳細な説明】
【技術分野】
【０００１】
本発明は、衣類に関する情報を配信する洗濯情報配信システム、及びこのシステムに用いられる洗濯ネームに関する。
【背景技術】
【０００２】
衣類に関する情報の配信方法には、商品タグを用いる方法がある。下記の特許文献１には、ズボンのベルトループに取り付ける商品タグが開示されている。この商品タグは、１枚の板状体を折り目によって２つ折りされ、折り目を境にした一方側を正面板、他方側を背面板として用いられる。正面板及び背面板には、商標、品質、製造元、品番、サイズ、洗濯の注意書き等の表示がされる。このような情報の配信は、洗濯方法や洗濯の際の注意書き等が表された洗濯ネームを用いることによっても行われている。
【０００３】
【特許文献１】実用新案登録第３１０２００７号公報
【発明の開示】
【発明が解決しようとする課題】
【０００４】
しかしながら、特許文献１に開示される商品タグを用いた情報配信や、洗濯ネームを用いた情報配信では、商品タグや洗濯ネームが衣類に取り付けられて取り扱われることから、衣類の種類や素材や取り扱われ方等によりサイズや用いる素材や取付箇所等が制約され、配信できる情報量が制限されて必要な情報を十分に伝えることができなかった。
【０００５】
本発明は斯かる課題に鑑みてなされたもので、上記課題を解決できる洗濯情報配信システム及び洗濯ネームを提供することを目的とする。
【課題を解決するための手段】
【０００６】
このような目的を達成するために、本発明は、衣類に取り付けられ、衣類の製品情報を含む衣類関連情報をコードで表示する洗濯ネームと、
前記洗濯ネームに表された前記コードを読み取る読取手段と、
前記読取手段が読み取った前記コードに基づく衣類関連情報を送信する関連情報送信手段と、
前記洗濯ネームが取り付けられた衣類の洗濯に関する洗濯情報を記憶する洗濯情報記憶手段と、
前記関連情報送信手段により送信された衣類関連情報を受信して、前記洗濯情報記憶手段が記憶する前記洗濯情報の中から、受信した衣類関連情報に関する前記洗濯情報を送信する洗濯情報送信手段と、
前記洗濯情報送信手段により送信された前記洗濯情報を受信して表示する洗濯情報表示手段とを備えて構成されることを特徴とする。
また、本発明は、衣類に関する衣類関連情報を表すコードと衣類の製品情報とを表示して衣類に取り付けられる洗濯ネームと、
前記洗濯ネームに表された前記コードを読み取る読取手段と、
前記読取手段が読み取った前記コードが表す衣類関連情報を送信する関連情報送信手段と、
前記洗濯ネームが取り付けられた衣類の洗濯に関する洗濯情報を記憶する洗濯情報記憶手段と、
前記関連情報送信手段により送信された衣類関連情報を受信して、前記洗濯ネームに表示された製品情報の入力を要求する入力要求情報を送信する入力要求情報送信手段と、
前記入力要求情報送信手段により送信された入力要求情報を受信して、受信した入力要求情報を表示する入力要求情報表示手段と、
前記入力要求情報表示手段により表示された入力要求情報に応じて、前記洗濯ネームに表示された製品情報を入力する製品情報入力手段と、
前記製品情報入力手段により入力された製品情報を送信する製品情報送信手段と、
前記製品情報送信手段により送信された製品情報を受信して、前記洗濯情報記憶手段が記憶する前記洗濯情報の中から、受信した製品情報が表す衣類の洗濯に関する前記洗濯情報を送信する洗濯情報送信手段と、
前記洗濯情報送信手段により送信された前記洗濯情報を受信して表示する洗濯情報表示手段とを備えて構成されることを特徴とする。
また、本発明は、衣類に関する衣類関連情報を表すコードと衣類の製品情報とを表示して衣類に取り付けられる洗濯ネームと、
前記洗濯ネームに表された前記コードを読み取る読取手段と、
前記読取手段が読み取った前記コードが表す衣類関連情報を送信する関連情報送信手段と、
前記洗濯ネームが取り付けられた衣類の洗濯に関する洗濯情報を記憶する洗濯情報記憶手段と、
前記関連情報送信手段により送信された衣類関連情報を受信して、前記洗濯ネームが取り付けられた衣類の前記洗濯情報の表示要求項目を含む複数の情報表示要求項目の中から何れかの表示要求項目の選択を要求する選択要求情報を送信する選択要求情報送信手段と、
前記選択要求情報送信手段により送信された選択要求情報を受信して、受信した選択要求情報を表示する選択要求情報表示手段と、
前記選択要求情報表示手段により表示された選択要求情報に応じて、複数の情報表示要求項目の中から何れかの情報表示要求項目を選択する項目選択手段と、
前記項目選択手段により選択された情報表示要求項目を表す選択項目情報を送信する選択項目情報送信手段と、
前記選択項目情報送信手段により送信された選択項目情報を受信して、受信した選択項目情報に洗濯情報の表示要求項目が含まれるときには、前記洗濯ネームに表示された製品情報の入力を要求する入力要求情報を送信する入力要求情報送信手段と、
前記入力要求情報送信手段により送信された入力要求情報を受信して、受信した入力要求情報を表示する入力要求情報表示手段と、
前記入力要求情報表示手段により表示された入力要求情報に応じて、前記洗濯ネームに表示された製品情報を入力する製品情報入力手段と、
前記製品情報入力手段により入力された製品情報を送信する製品情報送信手段と、
前記製品情報送信手段により送信された製品情報を受信して、前記洗濯情報記憶手段が記憶する前記洗濯情報の中から、受信した製品情報が表す衣類の洗濯に関する前記洗濯情報を送信する洗濯情報送信手段と、
前記洗濯情報送信手段により送信された前記洗濯情報を受信して表示する洗濯情報表示手段とを備えて構成されることを特徴とする。
また、本発明の衣類情報配信サーバは、衣類に取り付けられた洗濯ネームに表示されたコードが読み取られ、送信された前記コードに基づく衣類関連情報を受信する受信手段と、
前記衣類関連情報に対応する衣類の洗濯に関する洗濯情報を記憶する洗濯情報記憶手段と、
前記洗濯情報記憶手段が記憶する前記洗濯情報の中から、前記受信手段が受信した前記衣類関連情報に対応する衣類の洗濯に関する前記洗濯情報を読み出し送信する洗濯情報送信手段と
を備えて構成されることを特徴とする。
また、本発明の洗濯ネームは、衣類に取り付けられ、衣類の製品情報を含む衣類関連情報をコードで表示することを特徴とする。
また、本発明の衣類情報配信方法は、洗濯ネームが取り付けられた衣類の洗濯に関する洗濯情報を予め記憶し、前記洗濯ネームから衣類の製品情報を含む衣類関連情報を表示するコードを読み取って送信し、送信された前記衣類関連情報を受信し、受信した前記衣類関連情報に対応した洗濯情報を前記予め記憶した洗濯情報の中から読み出し送信することを特徴とする。
【発明の効果】
【０００７】
本発明によれば、洗濯ネームのサイズや用いる素材や取付箇所等による制約を受けずに、多くの情報を配信することができる。
【発明を実施するための最良の形態】
【０００８】
本発明の最良の形態を図面を参照して説明する。
図１は、本実施形態における洗濯情報配信システム１の構成の概略を示す図である。図２は本実施形態の洗濯情報配信システム１を構成する洗濯ネーム４の構成の一例を示す概略図である。図１に示すように、洗濯情報配信システム１は、携帯電話機２と、情報配信サーバ３と、衣服Ｉに取り付けられた洗濯ネーム４とから構成されている。
【０００９】
図２に示すように、洗濯ネーム４の上部には、事業者に関する情報、この例では事業者の名称「○×株式会社」，郵便番号「〒１６０−○○○○」，住所「東京都恵比寿４−○−○」，電話番号「ＴＥＬ（０３）○○○○−○○○○」，事業者のＷｅｂサイトのホームページのＵＲＬ（Uniform Resource Locator）アドレス「ｈｔｔｐ：／／ｗｗｗ．○×．ｃｏ．ｊｐ」が描かれている。その下には、２次元コードであるＱＲコード（登録商標、以下「二次元コード」と記載する。）４１が表されている。二次元コード４１は、事業者のＷｅｂサイトのホームページのＵＲＬアドレスに関する情報を、衣類関連情報として表している。その下には、衣類の手入れの方法を示す洗濯絵が描かれており、また、ＪＡＮコード４２と、製品の種類を表す文字情報、この例では「綿シャツ（白）」とが表されている。ＪＡＮコード４２はバーコードと数字とで表された製品情報である。
また、製品情報としてＪＡＮコード４２ではなく、品番、商品コード等を数字で表示したもの（製品情報数字）やコード化したもの（製品情報コード）でも良い。
【００１０】
図３は、携帯電話機２及び情報配信サーバ３の構成例を示すブロック図である。同図に示すように、携帯電話機２は、インターネット等のネットワークを介して情報配信サーバ３との間で情報を送受信して各種送信手段を構成する送受信部２１と、洗濯ネーム４に表された二次元コード４１を読み取る読取手段としての読取装置２２と、送受信部で受信した情報を表示して各種表示手段を構成する表示装置２３と、各種入力手段や選択手段として情報の入力や選択を行う入力部２４と、これらの動作を管理する管理部２５とを備えている。管理部２５は、ネットワークを介しての情報の送受信の際には、Ｗｅｂブラウザの制御により、送受信部２１や表示装置２３の動作を管理する。
【００１１】
また、情報配信サーバ３は、衣服Ｉに関連する情報を配信する情報配信事業者が管理する情報処理装置であって、例えば、ワークステーション等のハイエンドＰＣにより構成される。図３に示すように、情報配信サーバ３は、インターネットを介して携帯電話機２と各種データを送受信する送受信部３１と、データベースを記憶するデータベース記憶部３２と、携帯電話機２の表示画面にＷｅｂページを表示するのに必要な情報を記憶する表示情報記憶部３３と、送受信部３１を介しての情報の送受信の制御等の情報管理を行う情報管理部３７とを備えている。情報管理部３７は、送受信部３１を介して各記憶部３２，３３に記憶された情報を送信する各種送信手段を構成している。
【００１２】
データベース記憶部３２は、衣類の洗濯方法に関する情報（洗濯情報）を管理する洗濯情報データベース（ＤＢ）３４と、事業者の店舗に関する情報（店舗情報）を管理する店舗情報データベース（ＤＢ）３５と、所定の手続きを経て入会した会員に関する情報（会員情報）を管理する会員情報データベース（ＤＢ）３６とを含んで構成されている。
【００１３】
洗濯情報データベース３４は、事業者が取り扱う各種の製品に割り当てられたＪＡＮコード４２（図２参照）毎に、適した洗濯方法や洗濯の際の注意点等の手入れの方法を表す情報等の文字情報含む情報を洗濯情報として記憶している。具体的には、洗濯機で洗えるかどうか、洗濯するのに適した洗剤の種類、洗濯や乾燥の際の注意点といった情報が記憶されている。洗濯情報データベース３４は、衣類の洗濯に関する洗濯情報を記憶する洗濯情報記憶手段を構成している。
【００１４】
例えば、洗剤に関しては、中性洗剤や弱アルカリ性洗剤のうちのどの洗剤を用いるのが好ましいか、また、弱アルカリ性洗剤の場合には蛍光剤が配合されているものを用いることができるか、塩素系や酸素系の漂白剤を使用できるかといった情報が含まれている。また、洗濯の際の注意点に関しては、どの程度の量の洗剤を用いればよいか、水を流しっぱなしで衣服Ｉにあててもよいか、衣服Ｉを裏返しにして洗った方がよいかといった情報が含まれている。また、乾燥の際の注意点に関しては、日陰で干した方がよいか、吊り干しや平干し等のうちのどの干し方が好ましいか、衣服Ｉを裏返しにして干した方がよいか、乾燥機を使ってもよいかといった情報が含まれている。
【００１５】
店舗情報データベース３５は、事業者の有する各店舗毎に、店舗名、店舗の住所や電話番号、店舗を撮影した写真、店舗までの道のりを説明する地図、営業時間、取り扱っている商品の種類等の店舗に関する情報を記憶している。
【００１６】
例えば、図４中のショップガイドは、店舗毎に紳士服、婦人服、子供服が販売されているかについて、また、若者向け、ジーンズファッション、スーツ等の商品の種類の情報が含まれている。店舗アクセスは、店舗毎に駅（基準場所）から徒歩又は自動車で店舗に行くまでにかかる時間の情報、また、駐車場の有無に関する情報が含まれている。
【００１７】
会員情報データベース３６は、各会員毎に、会員の氏名や住所や電話番号、事業者の商品を購入した値段に応じて会員に付与されたポイントに関する情報等を記憶している。例えば、図４中のポイントカードの項目を選択し、顧客に固有に付与されている顧客番号を入力すると、現在保有しているポイント数が表示される。また、データベース記憶部３２には、写真等のイメージデータを記憶するイメージデータベースが含まれており、各データベース３４〜３６には必要に応じてイメージデータベースにおける必要なイメージデータの格納領域のデータが記憶されている。
【００１８】
表示情報記憶部３３は、データベース記憶部３２が備える各種データベース３４〜３６に記憶されている情報以外のＷｅｂページの表示に必要な情報を記憶している。例えば、各種データベース３４〜３６に記憶された情報をＷｅｂページに表示するためのＨＴＭＬ等のプログラムファイルや、各種データベース３４〜３６に記憶されていないＷｅｂページに表示するＨＴＭＬ等のプログラムファイルを、表示情報記憶部３３は記憶している。
【００１９】
次に、洗濯ネーム４の二次元コード４１が表す情報に基づき、携帯電話機２と情報配信サーバ３との間で行われる情報の送受信について説明する。衣服Ｉの購入者やクリーニング店の店員等が、携帯電話機２の読取装置２２を用いて洗濯ネーム４に表された二次元コード４１を読み取ると、読取装置２２は読み取った二次元コード４１の構成の情報を所定の規則に従って変換し、事業者のＷｅｂサイトのホームページのＵＲＬアドレスに関する情報を取得する。そして、購入者が携帯電話機２の入力部２４を操作して、取得したＵＲＬアドレスを指定すると、携帯電話機２のＷｅｂブラウザが送受信部２１を介してインターネット上のＤＮＳ（Domain Name System）サーバにＵＲＬアドレスの情報を供給する。
【００２０】
ＤＮＳサーバは、受信したＵＲＬアドレスを宛先ＩＰアドレスに変換し、変換した宛先ＩＰアドレスの情報を送受信部２１に供給する。Ｗｅｂブラウザは、送受信部２１で受信した宛先ＩＰアドレスの情報と共に、Ｗｅｂページの情報の送信を要求する要求信号を送受信部２１を介してインターネット上のルータに出力する。この要求信号には、その携帯電話機２の戻りの宛先ＩＰアドレス情報も含まれる。これにより、要求信号は、宛先ＩＰアドレスの情報を元にインターネット上のルータ間で転送され、宛先ＩＰアドレスの情報配信サーバ３の送受信部３１に供給される。
【００２１】
情報配信サーバ３の情報管理部３７は、受信した要求信号を参照して、各記憶部３２，３３が記憶している情報の中から要求信号が要求する情報を選択する。また、選択した情報の画面表示に必要な情報を表示情報記憶部３３が記憶している情報の中から選択する。
【００２２】
情報管理部３７は、このようにして選択された各情報を含んで構成されるＷｅｂページ情報を、受信した要求信号に含まれる宛先ＩＰアドレスの情報と共に、送受信部３１からインターネット上のルータに出力する。これにより、Ｗｅｂページ情報は、携帯電話機２の戻りの宛先ＩＰアドレスの情報を元にインターネット上のルータ間で転送され、携帯電話機２の送受信部２１に供給される。Ｗｅｂブラウザは、表示装置２３の表示画面にＷｅｂページ情報に基づく画面表示を行う。
【００２３】
このようにして携帯電話機２と情報配信サーバ３との間で情報が送受信され、携帯電話機２の表示画面上に事業者のＷｅｂサイトのホームページが表示される。
【００２４】
図４は、上述した携帯電話機２と情報配信サーバ３との間での情報の送受信の結果、携帯電話機２の表示画面に表示されるホームページの一例を示す図である。図４に示すように、ホームページの上部には事業者名「○×アパレル」の表示、その下には「インフォメーション」，「ショップガイド」，「店舗アクセス」，「お洗濯の方法について」，「ポイントカード」，及び「会員募集」の各項目が、ホームページの上側から下側にかけてこの順序で並んで表示されている。
【００２５】
携帯電話機２の入力部２４の操作により各項目の何れかが選択されると、選択された項目が矩形の枠で囲まれる。図４では、項目「お洗濯の方法について」が選択されている場合を示している。購入者やクリーニング店の店員等は、この矩形の枠がどの項目を囲んでいるかを視認することにより、現在選択されている項目を知ることができる。そして、選択された項目を決定する入力部２４の操作が行われると、携帯電話機２と情報配信サーバ３との間で上述した情報の送受信が行われ、決定された項目に応じたＷｅｂページが、携帯電話機２の表示画面に表示される。
【００２６】
「インフォメーション」は、案内情報を表すインフォメーション用Ｗｅｂページの表示を要求する項目である。この項目が決定されると、携帯電話機２のＷｅｂブラウザは、情報配信サーバ３に対してインフォメーション用Ｗｅｂページの表示に必要な情報を求める要求信号を送信する。この要求信号を受信した情報配信サーバ３は、表示情報記憶部３３が記憶する案内情報を含むＷｅｂページ情報を携帯電話機２に送信する。このＷｅｂページ情報を受信した携帯電話機２のＷｅｂブラウザは、インフォメーション用Ｗｅｂページを表示画面に表示する。
【００２７】
「ショップガイド」は、事業者の有する各店舗の店舗名や住所等の情報を表すショップガイド用Ｗｅｂページの表示を要求する項目である。この項目が決定されると、携帯電話機２のＷｅｂブラウザは、情報配信サーバ３に対してショップガイド用Ｗｅｂページの表示に必要な情報を求める要求信号を送信する。この要求信号を受信した情報配信サーバ３は、店舗情報データベース３５が記憶する店舗情報を含むＷｅｂページ情報を携帯電話機２に送信する。このＷｅｂページ情報を受信した携帯電話機２のＷｅｂブラウザは、ショップガイド用Ｗｅｂページを表示画面に表示する。
【００２８】
「店舗アクセス」は、各店舗までの道のりを説明する地図等の情報を表す店舗アクセス用Ｗｅｂページの表示を要求する項目である。この項目が決定されると、携帯電話機２のＷｅｂブラウザは、情報配信サーバ３に対して店舗アクセス用Ｗｅｂページの表示に必要な情報を求める要求信号を送信する。この要求信号を受信した情報配信サーバ３は、店舗情報データベース３５が記憶する店舗情報を含むＷｅｂページ情報を携帯電話機２に送信する。このＷｅｂページ情報を受信した携帯電話機２のＷｅｂブラウザは、店舗アクセス用Ｗｅｂページを表示画面に表示する。
【００２９】
「お洗濯の方法について」は、洗濯方法や手入れの方法等の洗濯情報の表示を求める洗濯情報要求用Ｗｅｂページの表示を要求する項目である。この項目が決定されると、携帯電話機２のＷｅｂブラウザは、情報配信サーバ３に対して洗濯情報要求用Ｗｅｂページの表示に必要な情報を求める要求信号を送信する。この要求信号を受信した情報配信サーバ３は、表示情報記憶部３３が記憶する洗濯情報要求用Ｗｅｂページの表示に用いられる要求画面表示情報を含むＷｅｂページ情報を携帯電話機２に送信する。このＷｅｂページ情報を受信した携帯電話機２のＷｅｂブラウザは、洗濯情報要求用Ｗｅｂページを表示画面に表示する。
【００３０】
「ポイントカード」は、会員の氏名や付与されたポイント等の情報を表すポイントカード用Ｗｅｂページの表示を要求する項目である。この項目が決定されると、携帯電話機２のＷｅｂブラウザは、情報配信サーバ３に対してポイントカード用Ｗｅｂページの表示に必要な情報を求める要求信号を送信する。この要求信号を受信した情報配信サーバ３は、会員情報データベース３６が記憶する会員情報を含むＷｅｂページ情報を携帯電話機２に送信する。このＷｅｂページ情報を受信した携帯電話機２のＷｅｂブラウザは、ポイントカード用Ｗｅｂページを表示画面に表示する。
【００３１】
図５は、携帯電話機２の表示画面に表示された図４に示すホームページの各表示項目の中から、「お洗濯の方法について」の項目が決定された場合に表示される洗濯情報要求用Ｗｅｂページの一例を示す図である。図５に示すように、洗濯情報要求用Ｗｅｂページの上部には事業者名「○×アパレル」が表示されている。また、その下には洗濯情報要求用Ｗｅｂページであることを表す「お洗濯方法」の文字を描いた表示、及び、矩形の枠で囲まれたＪＡＮコード入力部５１の表示が行われている。また、その下にはＪＡＮコード入力部５１の枠内に商品のＪＡＮコード４２を入力した後に問い合わせボタンを押すことを示唆する表示、更にその下には矩形の枠内に「問い合わせ」の文字を描いて表された問い合わせボタン部５２の表示が行われている。
また、ＪＡＮコード４２を入力ではなく、品番、商品コードを入力する方式にすることもできる。
【００３２】
ＪＡＮコード入力部５１は、携帯電話機２の入力部２４の操作によりＪＡＮコード４２を入力するための表示である。図５に示すように、ＪＡＮコード入力部５１には、入力されたＪＡＮコード４２が表示される。この表示を見て入力内容を確認しながら入力作業を行うことができる。また、問い合わせボタン部５２は、ＪＡＮコード入力部５１に入力されたＪＡＮコード４２で表される製品の洗濯情報を表示する洗濯情報提供用Ｗｅｂページの表示を要求する項目である。
【００３３】
携帯電話機２の入力部２４の操作により各項目の何れかが選択されると、選択された項目が反転表示される。購入者やクリーニング店の店員等は、反転表示が行われている項目を視認することにより、現在選択されている項目を知ることができる。そして、選択された項目を決定する入力部２４の操作が行われると、入力部２４の操作に応じた情報入力を行うことが可能になったり、項目に応じたＷｅｂページの表示が行われたりする。
【００３４】
ＪＡＮコード入力部５１にＪＡＮコード４２が入力された後に問い合わせボタン部５２が選択・決定されると、携帯電話機２のＷｅｂブラウザは、情報配信サーバ３に対して洗濯情報提供用Ｗｅｂページの表示に必要な情報を求める要求信号を送信する。この要求信号を受信した情報配信サーバ３は、洗濯情報データベース３４が記憶する洗濯情報を含むＷｅｂページ情報を携帯電話機２に送信する。このＷｅｂページ情報を受信した携帯電話機２のＷｅｂブラウザは、洗濯情報提供用Ｗｅｂページを表示画面に表示する。
【００３５】
つまり、購入者やクリーニング店の店員等が携帯電話機２の入力部２４を操作して、洗濯ネーム４に表示されたＪＡＮコード４２の数字をＪＡＮコード入力部５１に入力した後、問い合わせボタン部５２をクリックすると、携帯電話機２のＷｅｂブラウザは、ＪＡＮコード入力部５１に入力されたＪＡＮコード４２の情報を含む要求信号を、情報配信サーバ３に送信する。この要求信号を受信した情報配信サーバ３は、ＪＡＮコード４２が割り当てられた製品の種類を表す情報と、その製品に関する洗濯情報とを含むＷｅｂページ情報を携帯電話機２に送信する。このＷｅｂページ情報を受信した携帯電話機２の表示画面には、洗濯情報提供用Ｗｅｂページが表示される。
【００３６】
図６は、携帯電話機２の表示画面に表示された洗濯情報提供用Ｗｅｂページの一例を示す図である。この例では、図５に示す洗濯情報要求用ＷｅｂページのＪＡＮコード入力部５１に入力されたＪＡＮコード４２が表す製品の種類が、白色の綿シャツである場合について説明する。図６に示すように、濯情報提供用Ｗｅｂページの上部には事業者名「○×アパレル」が表示されている。また、その下には製品の種類を表す「綿シャツ（白）」の文字を描いた表示が行われている。また、その下には洗濯情報に含まれる各種情報を表す文字が表示されている。この例では、「洗濯機で洗えます。但し、液温９５度が限度です。」，「アイロンは中温で。」，「色物と一緒に洗わないで下さい。」といった情報が、洗濯情報として表示されている。
【００３７】
このように、本実施形態の洗濯情報配信システム１によれば、衣類の洗濯に関する情報の提供を受けることを望む購入者やクリーニング店の店員等は、洗濯ネーム４に表示された二次元コード４１を読み取って送信することにより、ＪＡＮコード４２の入力を要求する洗濯情報要求用Ｗｅｂページの表示を受けることができる。そして、この洗濯情報要求用Ｗｅｂページの要求に従いＪＡＮコード４２を入力して送信することにより、ＪＡＮコード４２が表す衣類の洗濯に関する文字情報含む情報を提供する洗濯情報提供用Ｗｅｂページが、携帯電話機２の表示装置２３により表示される。このため、洗濯ネーム４のサイズや素材や取付箇所に関わらずに情報の配信を行うことができる。従って、衣類の洗濯に関する情報を洗濯ネーム４に直接表示する場合に比べて、より多くの様々な情報を表示することが可能となる。
【００３８】
つまり、洗濯ネーム４を用いた従来の情報配信の仕方では、表示できる情報量や表示態様が制限されたため、多くの情報を配信するために、洗濯方法や洗濯の際の注意書き等をこれらの情報を表す記号を用いて表示する方法が用いられていたが、洗濯ネーム４を見た購入者がその場で理解できるように、設けることのできる記号の種類が制限されたため、伝達することのできる情報の種類が制限され、購入者に対して細かな情報を伝達することができなかった。しかしながら、本実施形態の洗濯情報配信システム１によれば、配信できる情報量に従来の配信方法のような制限がないことから、購入者が見慣れた文字情報を用いて細かな情報の配信を行うことができる。また、購入者は、洗濯ネーム４に表示された記号の意味を理解していなくても普段見慣れた文字情報により洗濯に関する情報を知ることが可能となる。
【００３９】
しかも、洗濯ネーム４が取り付けられた衣類の洗濯に関する情報の配信を望む購入者やクリーニング店の店員等に対して、図４に示すホームページや図５に示す洗濯情報要求用Ｗｅｂページを用いることにより、洗濯以外の情報、例えば、事業者の広告の情報等の配信を受ける機会を提供することができる。
【００４０】
また、洗濯ネーム４に表示されたＪＡＮコード４２の情報を受信した情報配信サーバ３が洗濯情報提供用ＷｅｂページのＷｅｂページ情報を送信することにより、洗濯に関する文字情報を含む情報が配信されることから、洗濯ネーム４を製作する際にＪＡＮコード４２を除く二次元コード４１等の情報のみを印刷した後、新たに製品を製作する度にその製品のＪＡＮコード４２を洗濯ネーム４に印刷することにより、製作する各製品毎の数量に関わらずに一度に多くの洗濯ネーム４を製作することが可能となる。このため、洗濯ネーム４の製造コストを削減することができる。
【００４１】
なお、上記実施形態の説明では、洗濯ネーム４に表示された二次元コード４１が表すＵＲＬアドレス情報に基づき、携帯電話機２と情報配信サーバ３との間で情報が送受信されることにより、図４に示すホームページが最初に表示され、このホームページで提供される情報に基づき図５に示す洗濯情報要求用Ｗｅｂページ，図６に示す洗濯情報提供用Ｗｅｂページの順で、携帯電話機２の表示画面に表示が行われた場合について説明した。しかしながら、二次元コード４１の表す情報に含まれるＵＲＬアドレス情報に基づき最初に表示されるホームページを図５に示す洗濯情報要求用Ｗｅｂページとし、この洗濯情報要求用Ｗｅｂページでの表示に基づき洗濯情報の提供が要求されると、図６に示す洗濯情報提供用Ｗｅｂページが表示される構成としてもよい。
【００４２】
この構成によれば、洗濯ネーム４に表示された二次元コード４１を携帯電話機２の読取装置２２で読み取り、二次元コード４１が表すＵＲＬアドレスの情報を携帯電話機２が送信すると、これを受信した情報配信サーバ３が、洗濯ネーム４に表示されたＪＡＮコード４２の入力を要求する洗濯情報要求用ＷｅｂページのＷｅｂページ情報を送信する。このＷｅｂページ情報は携帯電話機２で受信され、洗濯情報要求用Ｗｅｂページが表示される。購入者やクリーニング店の店員等が、洗濯情報要求用Ｗｅｂページに応じて、入力部２４の操作により洗濯ネーム４に表示されたＪＡＮコード４２を入力して送信すると、この情報は情報配信サーバ３により受信される。情報を受信した情報配信サーバ３は、衣類の洗濯に関する文字情報を含む情報の中から、受信したＪＡＮコード４２が表す衣類の洗濯に関する文字情報を含む洗濯情報提供用ＷｅｂページのＷｅｂページ情報を送信する。この情報は、携帯電話機２で受信され、表示される。
【００４３】
このような構成の洗濯情報配信システム１によれば、洗濯ネーム４に表示された二次元コード４１を購入者やクリーニング店の店員等が読み取って送信することにより、ＪＡＮコード４２の入力を要求する洗濯情報要求用Ｗｅｂページの表示を受けることができる。そして、この洗濯情報要求用Ｗｅｂページの要求に従いＪＡＮコード４２を入力して送信することにより、ＪＡＮコード４２が表す衣類の洗濯に関する文字情報を含む洗濯情報提供用ＷｅｂページのＷｅｂページ情報が携帯電話機２で表示される。このため、洗濯ネーム４のサイズや素材や取付箇所に関わらずに情報の配信を行うことができる。このため、上記実施形態と同様に、衣類の洗濯に関する情報を洗濯ネーム４に直接表示する場合に比べて、より多くの様々な情報を表示することが可能となるという作用効果を得ることができる。また、上記実施形態と同様に、洗濯ネーム４の製造コストを削減することができ、また、洗濯情報要求用Ｗｅｂページや洗濯情報提供用Ｗｅｂページで事業者の広告の情報等の衣類に関連する情報を配信することもできるという作用効果を得ることができる。
【００４４】
また、二次元コード４１の表す情報に含まれるＵＲＬアドレスの情報に基づき最初に表示されるホームページを図６に示す洗濯情報提供用Ｗｅｂページとする構成としてもよい。このような構成は、洗濯ネーム４に表示された二次元コード４１が表す情報に、ＵＲＬアドレス情報の他に、その洗濯ネーム４が取り付けられる衣類の製品情報（ＪＡＮコード４２の情報等）も含めることにより、実現することができる。ただし、製品情報は必ずしも二次元コード４１が表す情報に含める必要はない。
【００４５】
この構成によれば、洗濯ネーム４に表示された二次元コード４１を携帯電話機２の読取装置２２で読み取り、二次元コード４１が表すＵＲＬアドレスや製品の情報を携帯電話機２が送信すると、この情報を受信した情報配信サーバ３が、衣類情報の中から受信した製品情報が表す衣類の洗濯に関する文字情報を含む洗濯情報提供用ＷｅｂページのＷｅｂページ情報を送信する。このＷｅｂページ情報が携帯電話機２で受信されると、洗濯情報提供用Ｗｅｂページが表示画面に表示される。
【００４６】
このように、洗濯ネーム４に表示された二次元コード４１を購入者やクリーニング店の店員等が読み取って送信することにより、二次元コード４１で製品情報が表される衣類の洗濯に関する文字情報を含む洗濯情報提供用ＷｅｂページのＷｅｂページ情報が、携帯電話機２で表示される。このため、上記実施形態と同様に、衣類の洗濯に関する情報を洗濯ネーム４に直接表示する場合に比べて、より多くの様々な情報を表示することが可能となるという作用効果を得ることができる。
【００４７】
上記実施形態の説明では、衣類の手入れの方法を示す洗濯絵が洗濯ネーム４に描かれている場合について説明したが、二次元コード４１が表す情報に基づき情報配信サーバ３に記憶された洗濯に関する情報を取得することが可能であることから、洗濯絵の表示は必ずしも必要ない。また、製品の種類を表す文字情報「綿シャツ（白）」の表示も同様に必ずしも必要ない。
【００４８】
また、図４に示すホームページで「お洗濯の方法について」の項目が決定された場合には、図５に示す洗濯情報要求用Ｗｅｂページを介さずに直接図６に示す洗濯情報要求用Ｗｅｂページが表示される構成としてもよい。このような構成とする場合には、上記実施形態では洗濯ネーム４のＪＡＮコード４２で表していた製品情報も二次元コード４１が表す情報に含める。そして、携帯電話機２のＷｅｂブラウザは、ホームページのＵＲＬアドレスと共に製品情報も情報配信サーバ３に送信し、図４に示すホームページで「お洗濯の方法について」の項目が決定された場合に、製品情報が表す衣類の洗濯情報を図６に示す洗濯情報提供用Ｗｅｂページで表示することができる。
【００４９】
このような構成とする場合、二次元コード４１で表されていた製品情報は、ホームページのＵＲＬアドレスの情報と共に情報配信サーバ３に送信してもよい。そして、情報配信サーバ３は、その製品情報を一時的に記憶しておき、「お洗濯の方法について」の項目が決定されて同じ携帯電話機２から送信された要求信号を受信すると、記憶していた製品情報に基づき洗濯情報提供用ＷｅｂページのＷｅｂページ情報の送信に必要な処理を行う構成としてもよい。また、携帯電話機２の記憶部に製品情報を一時的に記憶しておき、図４に示すホームページで「お洗濯の方法について」の項目が決定された場合に送信される要求信号に製品情報を含めて情報配信サーバ３に送信してもよい。
【００５０】
また、二次元コード４１で表されたＵＲＬアドレスの情報に基づき表示されるホームページの構成は、図５に示す洗濯情報要求用Ｗｅｂページの表示を要求する項目が含まれているのであれば、上記実施形態での表示態様に限らず任意である。例えば、図４に示す各項目のうち「お洗濯の方法について」を除く各項目が異なる表示態様としても、図４に示す各項目に別の項目が追加された表示態様としてもよい。また、各項目の表示順序も任意である。また、図４に示す項目「お洗濯の方法について」の表示態様は、衣類の洗濯についての情報が提供されることを示唆できるのであれば、任意である。また、携帯電話機２の入力部２４により選択されている項目の報知態様も任意であり、例えば、選択されている項目を反転表示させてもよい。
【００５１】
また、ホームページに表示された各項目の中から「お洗濯の方法について」の項目が決定されたときに表示される洗濯情報要求用Ｗｅｂページの構成は、その表示内容に基づきＪＡＮコード４２を入力し、入力結果を送信することができるのであれば、上記実施形態での表示態様に限らず任意である。例えば、問い合わせボタン部５２を表示せずに携帯電話機２の入力部２４の操作に基づきＪＡＮコード４２の入力結果が送信される構成としてもよい。また、携帯電話機２の入力部２４の操作により選択されている項目の報知態様も任意であり、例えば、選択されている項目を枠で囲む表示を行ってもよい。
【００５２】
また、洗濯情報要求用ＷｅｂページにおいてＪＡＮコード４２の入力結果が送信されたときに表示される洗濯情報提供用Ｗｅｂページの構成は、ＪＡＮコード４２が表す製品の洗濯情報を文字情報を含む情報として提供できるのであれば、その表示態様や表示内容は任意である。例えば、上記実施形態の説明では、洗濯情報を提供する製品の画像も洗濯情報と共に表示したが、製品の画像は表示しなくてもよい。また、文字情報に加えて画像や音声を用いて洗濯情報を提供してもよい。また、文字情報に加えて洗濯絵の画像や記号を用いる等して洗濯情報を提供してもよい。また、上述した説明ではコードとして２次元コードである二次元コード４１を用いた場合について説明したが、洗濯ネーム４に表すコードの種類や表示態様は任意である。また、製品情報の表示方法もＪＡＮコード４２を用いるものに限らず任意である。
【００５３】
また、上記実施形態では、コードの読取手段として携帯電話機２の読取装置２２、コードが表す情報の送信等を行う各種送信手段として携帯電話機２の送受信部２１、受信した情報を表示する各種表示手段として携帯電話機２の表示装置２３を用いた場合について説明した。しかしながら、これらの各手段は携帯電話機が備えるものに限定されない。例えば、読取手段を携帯電話機２とは別個に備える構成としても、また、各種表示手段を携帯電話機２とは別個に備える構成としてもよい。また、送信手段も携帯電話機の備える送受信部には限らず、パソコン等の他の手段の備える送受信部を用いてもよい。
【図面の簡単な説明】
【００５４】
【図１】本発明の一実施形態による洗濯情報配信システムの構成の概略を示す図である。
【図２】図１に示す洗濯情報配信システムを構成する洗濯ネームの構成の一例を示す概略図である。
【図３】図１に示す携帯電話機及び情報配信サーバの構成例を示すブロック図である。
【図４】図２に示す洗濯ネームの二次元コードが表すＵＲＬアドレスの示すホームページの一例を示す図である。
【図５】図４に示すホームページでの表示情報に基づき表示される洗濯情報要求用Ｗｅｂページの一例を示す図である。
【図６】図５に示す洗濯情報要求用Ｗｅｂページでの表示情報に基づき表示される洗濯情報提供用Ｗｅｂページの一例を示す図である。
【符号の説明】
【００５５】
１                洗濯情報配信システム
２                携帯電話機
２１              送受信部
２２              読取装置
２３              表示装置
２４              入力部
２５              管理部
３                情報配信サーバ
３１              送受信部
３２              データベース記憶部
３３              表示情報記憶部
３４              情報管理部
４                洗濯ネーム
４１              ＱＲコード（二次元コード）
４２              ＪＡＮコード
【図１】
2008287348.tif 000003
【図２】
2008287348.tif 000004
【図３】
2008287348.tif 000005
【図４】
2008287348.tif 000006
【図５】
2008287348.tif 000007
【図６】
2008287348.tif 000008